(57)【特許請求の範囲】
【請求項１】
薬液を貯留した薬液タンクと、薬液およびその希釈水を汲み上げる圧送ポンプと、圧送ポンプの吐出口に連結されて該吐出口と外部とを遮断または連通するコックと、薬液タンクと圧送ポンプの吸込口とを連通する吸液路と、吸液路と並列に配置されて圧送ポンプの吸込口と希釈水の水源とを連通する吸水路と、圧送ポンプの吐出口と吸込口とを連通する還流路と、圧送ポンプの吐出側からフィードバックされた吐出側圧力により吸液路を開閉する吸液路開閉弁とを有する薬液混合装置において、吸液路開閉弁は、前記吐出側圧力が第１所定圧力を上回ったときに吸液路を開き前記吐出側圧力が第１所定圧力以下となったときに吸液路を閉じる機能と、前記吐出側圧力が第２所定圧力以下となったときに吸液路を開き前記吐出側圧力が第２所定圧力を上回ったときに吸液路を閉じる機能を備えていることを特徴とする薬液混合装置。
【請求項２】
圧送ポンプ駆動状態でコックを閉じたときに還流路を開き圧送ポンプ駆動状態でコックを開いたときに還流路を閉じる逃がし弁が還流路に介装されるとともに、吸液路開閉弁が、圧送ポンプの吐出側からフィードバックされた吐出側圧力が第１所定圧力を上回ったときに吸液路を開き前記吐出側圧力が第１所定圧力以下となったときに吸液路を閉じる減圧ストップ弁と、前記吐出側圧力が第２所定圧力以下となったときに吸液路を開き前記吐出側圧力が第２所定圧力を上回ったときに吸液路を閉じる減圧弁とから構成されていることを特徴とする請求項１に記載の薬液混合装置。
【請求項３】
吸水路内に第１オリフィスを設け、吸液路内に第２オリフィスを設けるとともに、第１オリフィスの開口径と第２オリフィスの開口径とを、薬液と希釈水の所期の混合比率に応じてそれぞれ設定したことを特徴とする請求項１または請求項２に記載の薬液混合装置。
【請求項４】
薬液タンクは、薬液を収容した状態で希釈水に浮上可能な中空容器に形成され、希釈水の水源に浮かべて用いられることを特徴とする請求項１乃至請求項３のいずれかに記載の薬液混合装置。
【発明の詳細な説明】
【０００１】
【発明の属する技術分野】
本発明は、例えば畑地に撒布されたり土中に注入される薬剤を水などの希釈液で希釈・混合する際に用いられる薬液混合装置に関する。
【０００２】
【従来の技術】
これまで、農薬の撒布などを行うにあたっては、予め薬液調製槽を用意し、この薬液調製槽内で薬液と水などの他の液体とを希釈・混合したのち、この混合液を圧送ポンプで汲み上げて噴霧ノズルや土中注入器などに供給して使用していた。
上記した使用態様では、噴霧ノズルや土中注入器で用いるに足る比較的大容量の薬液調製槽が必要であり、畦畔などで大きな用地を確保しなければならない。また、撒布などの途中で薬液調製槽内の混合液が底をついてきた場合は、撒布作業を一時中断して混合液を再度調製しなければならず、作業性が悪くなる。また、複数種の薬液を併用する場合、薬液調製槽で希釈・混合したのち時間が経過しすぎると、これらの薬効が低下したりすることもある。
【０００３】
そこで、本発明者は上記した不具合を解消するための薬液混合器を開発し、特許出願（特開平１−３１７３２７号公報）している。
この薬液混合器は、ケーシング内に薬液供給路と、それから分岐した薬液還流路とを形成し、薬液供給路の薬液入口を薬液タンクに連通させ、薬液供給路の薬液出口を圧送ポンプの吸込口に連通させ、薬液還流路の還流口を薬液タンクに連通させたものであり、薬液供給路と薬液還流路とは圧送ポンプの吐出口圧力により作動する弁体により選択的に開閉されるようになっている。
この薬液混合器を用いた薬液混合装置では、更に圧送ポンプの吸込口に希釈水供給路が直結されており、薬液供給路に薬液供給ポンプが設けられている。そして、圧送ポンプ駆動状態のままで撒布を中止しているときには薬液混合器の薬液供給路が閉じられて薬液還流路が開放され、撒布時には薬液供給路が開放されて薬液還流路が閉じられるようになっている。
かかる薬液混合装置では、撒布などの使用直前に薬液を希釈・混合できるという利点がある。
【０００４】
【発明が解決しようとする課題】
しかしながら、上記した公報開示の薬液混合装置であれば、圧送ポンプと薬液供給ポンプといった複数のポンプを必要とし、薬液と希釈水の混合比率は薬液供給路に設けられた流量調整弁により薬液供給量を調整して設定しなければならない。そのため、装置が大型で複雑化し、製造コストがかさむ。
【０００５】
本発明は、上記した従来の問題点に鑑みてなされたものであって、小型かつ簡素な構成により、薬液と希釈水とを所期比率で希釈・混合することのできる薬液混合装置の提供を目的とする。
【０００６】
【課題を解決するための手段】
上記目的を達成するために、本発明に係る薬液混合装置は、薬液を貯留した薬液タンクと、薬液およびその希釈水を汲み上げる圧送ポンプと、圧送ポンプの吐出口に連結されて該吐出口と外部とを遮断または連通するコックと、薬液タンクと圧送ポンプの吸込口とを連通する吸液路と、吸液路と並列に配置されて圧送ポンプの吸込口と希釈水の水源とを連通する吸水路と、圧送ポンプの吐出口と吸込口とを連通する還流路と、圧送ポンプの吐出側からフィードバックされた吐出側圧力により吸液路を開閉する吸液路開閉弁とを有する薬液混合装置において、吸液路開閉弁は、前記吐出側圧力が第１所定圧力を上回ったときに吸液路を開き前記吐出側圧力が第１所定圧力以下となったときに吸液路を閉じる機能と、前記吐出側圧力が第２所定圧力以下となったときに吸液路を開き前記吐出側圧力が第２所定圧力を上回ったときに吸液路を閉じる機能を備えている構成にしてある。
【０００７】
また、前記の構成に加えて、圧送ポンプ駆動状態でコックを閉じたときに還流路を開き圧送ポンプ駆動状態でコックを開いたときに還流路を閉じる逃がし弁が還流路に介装されるとともに、吸液路開閉弁が、圧送ポンプの吐出側からフィードバックされた吐出側圧力が第１所定圧力を上回ったときに吸液路を開き前記吐出側圧力が第１所定圧力以下となったときに吸液路を閉じる減圧ストップ弁と、前記吐出側圧力が第２所定圧力以下となったときに吸液路を開き前記吐出側圧力が第２所定圧力を上回ったときに吸液路を閉じる減圧弁とから構成されているものである。
【０００８】
更に、前記それぞれの構成に加えて、吸水路内に第１オリフィスを設け、吸液路内に第２オリフィスを設けるとともに、第１オリフィスの開口径と第２オリフィスの開口径とを、薬液と希釈水の所期の混合比率に応じてそれぞれ設定したものである。
【０００９】
そして、前記それぞれの構成における薬液タンクとしては、薬液を収容した状態で希釈水に浮上可能な中空容器に形成され、希釈水の水源に浮かべて用いられるものを採用してもよい。
【００１０】
【発明の実施の形態】
以下、本発明による実施の形態を図面に基づいて説明する。
〔実施形態１．〕
図１は本発明の一実施形態に係る薬液混合装置を示す配管系統図である。
図において、薬液混合装置１は、薬液Ａを貯留した薬液タンク２と、薬液Ｂを貯留した薬液タンク３と、薬液Ａ，Ｂおよびそれらの希釈水Ｗを汲み上げる圧送ポンプ４と、薬液タンク２，３と圧送ポンプ４の吸込口５とを連通する吸液路９，１０と、吸液路９，１０と並列に配置されて圧送ポンプ４の吸込口５と希釈水Ｗの水源とを連通する吸水路１１と、圧送ポンプ４の吐出口６と吸込口５とを連通する還流路１２とを備えている。
【００１１】
そして、圧送ポンプ４の吐出口６に設けられた吐出管６ａには、アキュムレータ２４および圧力計２５が連結されている。吐出管６ａの先端にはコック８が設けられており、このコック８には外部機器として噴霧ノズル７が接続されている。圧送ポンプ４の吸込口５近傍には、負圧計２６が設けられている。また、還流路１２には、圧送ポンプ駆動状態でコック８が閉じられたときに開弁して還流路１２を連通し、コック８の開放時には閉弁して還流路１２を遮断する逃がし弁１４が介装されている。吸液路９，１０には、圧送ポンプ４の吐出口６における圧力に基づいて開閉する減圧ストップ弁１７Ａ，１７Ｂが介装されている。減圧ストップ弁１７Ａ，１７Ｂと接続される導圧路１３は吐出管６ａに連結され、この導圧路１３にもコック２３が設けられている。還流路１２の逃がし弁１４下流側には、還流時の圧力になると吸液路９，１０を遮断する減圧弁１５Ａ，１５Ｂと、薬液Ａ，Ｂおよび希釈水Ｗの混合液の還流量を調整するための流量調整弁１９が介装されている。
尚、希釈水Ｗの水源としては、車載用の５００リットルタンクなどに貯留した水でもよいし、田圃や川の農業用水でも構わない。
【００１２】
特に、この薬液混合装置１では、吸水路１１内に第１オリフィス２０が設けられ、吸液路９，１０内には第２オリフィス２１，２２が設けられている。この場合、第１オリフィス２０の開口径Ｄ1 （Ｄ1 ＝５．６ｍｍφ）に対し、第２オリフィス２１の開口径Ｄ2 （Ｄ2 ＝０．８ｍｍφ）（または第２オリフィス２２の開口径Ｄ3 （Ｄ3 ＝０．８ｍｍφ））は、薬液Ａ（または薬液Ｂ）と希釈水Ｗの所期の混合比率ＢＲ（例えば、ＢＲ＝１／４９）に応じて設定されている。
【００１３】
そして、逃がし弁１４は、図２に示すように、ケーシング４０内に、還流路１２を介して圧送ポンプ４の吐出管６ａと連結された導圧路４６と、この導圧路４６と直交するようにピストン４１などの収容空間および出側通路４５とが形成されている。ピストン４１の上端には弁体４８がビス４９で固定されており、出側通路４５下部の弁座４７を開閉するようになっている。ピストン４１は上記の収容空間内に移動自在に配備されており、内装されたコイルバネ４２により弁座４７に向けて常時付勢されている。このコイルバネ４２による付勢力はケーシング４０下部にねじ込まれる蝶ネジ４４で受座４３を上下移動させることにより調整される。この場合、導圧路４６内の圧力が２５ｋｇ／ｃｍ2 になると、ピストン４１が収容空間内に押し込まれるように、コイルバネ４２の付勢力が調整される。
【００１４】
また、一体型弁１６は、図３に示すように、単独のケーシング６０を用いて減圧弁１５Ａおよび減圧弁１５Ｂを一体に構成してある。
まず、減圧弁１５Ａは、逃がし弁１４の出側通路４５と連通する導圧路６６がケーシング６０内を貫通して設けられている。この導圧路６６から直交分岐してピストン６１Ａやコイルバネ６２Ａの収容空間が形成されている。ピストン６１Ａには弁軸６３Ａの一端が取り付けられている。弁軸６３Ａの他端側は上記の収容空間とは別個に形成された入側通路６５Ａ内に臨ませてあり、弁軸６３Ａの先端に弁体６８Ａが固設されている。この入側通路６５Ａの下部にはＯリング６７Ａが配備されており、Ｏリング６７Ａに対し弁体６８Ａが密着・離間することにより、吸液路９に連結された出側通路６４Ａと上記の入側通路６５Ａとが遮断・連通されるようになっている。
一方、減圧弁１５Ｂを構成するピストン６１Ｂ、コイルバネ６２Ｂ、弁軸６３Ｂ、出側通路６４Ｂ、入側通路６５Ｂ、Ｏリング６７Ｂ、弁体６８Ｂも、減圧弁１５Ａの要素と同様に構成されている。この場合、導圧路６６内の圧力が例えば５ｋｇ／ｃｍ2 程度（還流時の圧力であり、第２所定圧力に相当する）を超えると、ピストン６１Ａ，６１Ｂがそれぞれの収容空間内に押し込まれて弁体６８Ａ，６８Ｂが閉じるように、コイルバネ６２Ａ，６２Ｂの付勢力が設定されている。
【００１５】
また、一体型弁１８は、図４に示すように、単独のケーシング７０を用いて減圧ストップ弁１７Ａおよび減圧ストップ弁１７Ｂを一体に構成してある。まず、減圧ストップ弁１７Ａは、吐出管６ａからの導圧路１３と連通する導圧路７６がケーシング７０内を横断して設けられている。この導圧路７６から直交分岐してピストン７１Ａやコイルバネ７２Ａの収容空間が形成されている。ピストン７１Ａには弁軸７３Ａの一端が取り付けられている。弁軸７３Ａの他端側は上記の収容空間とは別個に形成された入側通路７４Ａ内に臨ませてあり、弁軸７３Ａの先端に弁体７８Ａが固設されている。この入側通路７４Ａの上方にはＯリング７７Ａが配備されており、Ｏリング７７Ａに対し弁体７８Ａが密着・離間することにより、吸液路９に連結された出側通路７５Ａと上記の入側通路７４Ａとが遮断・連通されるようになっている。
減圧ストップ弁１７Ｂを構成するピストン７１Ｂ、コイルバネ７２Ｂ、弁軸７３Ｂ、入側通路７４Ｂ、出側通路７５Ｂ、Ｏリング７７Ｂ、弁体７８Ｂも、減圧ストップ弁１７Ａの要素と同様に構成されている。この場合、導圧路７６内の圧力が約５ｋｇ／ｃｍ2 （第１所定圧力に相当する）よりも高くなると、ピストン７１Ａ，７１Ｂがそれぞれの収容空間内に押し込まれて弁体７８Ａ，７８Ｂが開くように、コイルバネ７２Ａ，７２Ｂの付勢力が設定されている。
【００１６】
そして、流量調整弁１９は、図５に示すように、ケーシング８０内に形成されたＬ字状通路の一端側にオリフィス８２が装着され、このオリフィス８２のオリフィス開口８４（開口径＝３ｍｍφ）を広狭させるように、先細の弁軸８３がＬ字状通路内に配備されている。弁軸８３の他端側にはケーシング８０の外面と螺合する調整用つまみ８１が取付けられている。この調整用つまみ８１を回転させることにより弁軸８３が進退し、吸込口６に連結された出側通路８５とオリフィス開口８４とを連通・遮断して希釈水Ｗおよび薬液Ａ，Ｂの還流量を調整するようになっている。尚、上記のオリフィス８２は２点鎖線で示す減圧弁１５Ｂのソケット部５０にケーシング８０を装着することにより保持される。
【００１７】
引続き、この薬液混合装置１による薬液Ａ，Ｂの希釈・混合動作につき、以下に説明する。ここでは、薬液Ａとして酸性水溶液を用い、薬液Ｂとしてアルカリ性水溶液を用いた場合を例示する。
まず、薬液混合装置１の全ての通路内をエア抜きした後に、圧送ポンプ４を起動する。そして、コック８を開き噴霧ノズル７から希釈水Ｗを噴霧させた状態で、圧送ポンプ４の吐出量を例えばエンジン回転数などで調整し、吐出管６ａ、逃がし弁１４までの還流路１２、導圧路１３内を２０ｋｇ／ｃｍ2 程度の圧力に保持する。
そこで、コック８を閉じると、圧送ポンプ４吐出側の圧力が一時的に２５ｋｇ／ｃｍ2 程度まで上昇する。すると、逃がし弁１４の弁体４８が開き、圧送ポンプ４吐出側の圧力が１５〜１８ｋｇ／ｃｍ2 まで落ちる。こうして、圧送ポンプ４吐出側の希釈水Ｗは、還流路１２を通り、逃がし弁１４、減圧弁１５Ａ，１５Ｂ、流量調整弁１９を経て圧送ポンプ４の吸込側に戻る。
【００１８】
このとき、逃がし弁１４に生じやすいチャタリングは、逃がし弁１４の下流側に配備されている流量調整弁１９により防ぐことができ、吐出管６ａ、還流路１２、導圧路１３内は１５〜１８ｋｇ／ｃｍ2 に安定に保持される。これにより、吸液路９，１０が確実に閉じられて、薬液Ａ，Ｂの混入を防ぐことができる。尚、流量調整弁１９を通過する循環量は、噴霧ノズル７からの噴霧量と同等となるように、予め調整用つまみ８１により調整されている。
【００１９】
一方、減圧ストップ弁１７Ａ，１７Ｂも導圧路１３からの圧力によってそれぞれの弁体７８Ａ，７８Ｂが開いて薬液タンク２，３から減圧弁１５Ａ，１５Ｂまでの吸液路９，１０を連通させる。他方、減圧弁１５Ａ，１５Ｂは、還流状態の間は弁体６８Ａ，６８Ｂが閉じている。
そこで、コック８を開いて通常の噴霧状態にすると、逃がし弁１４が閉じ、減圧弁１５Ａ，１５Ｂの吸液路９，１０が開放される。これにより、吸液路９，１０が全体にわたって連通する。そこで、吸水路１１からは希釈水Ｗが吸い上げられ、吸液路９，１０からは薬液Ａ，Ｂが吸い上げられ、これらは圧送ポンプ４の吸込側で合流して混合されたのち、吐出管６ａを経て噴霧ノズル７から畑地などに噴霧される。このとき、圧送ポンプ４の送水量は１０リットル／分程度であり、吸込口５における負圧は−４０ｃｍＨｇ程度である。
【００２０】
この場合、薬液Ａ，Ｂと希釈水Ｗとの混合比率ＢＲは、第１オリフィス２０の開口径Ｄ1 と第２オリフィス２１（または２２）の開口径Ｄ2 （またはＤ3 ）との比率により設定されており、例えば薬液Ａ，Ｂがそれぞれ１リットルで、希釈水Ｗが４９リットルであって、それぞれ１／４９になっている。一般に、薬剤は１０リットル容器で取り扱われ、軽トラックの荷台に搭載可能な水タンクの容量は５００リットルであることから、５０倍希釈にすると使い勝手がよい。
【００２１】
そうして、噴霧を中止するにあたりコック８を閉止すると、上述した起動初期時と同様に、逃がし弁１４が開き、減圧弁１５Ａ，１５Ｂで吸液路９，１０が遮断される。この場合、圧送ポンプ４から吐出された混合液は還流路１２を循環するだけであり、薬液Ａ，Ｂは減圧弁１５Ａ，１５Ｂで止められて吸い上げられない。
【００２２】
また、ポンプ停止時には減圧ストップ弁１７Ａ，１７Ｂで吸液路９，１０が遮断されるので、吸液路９，１０を異なる種類の薬液や希釈水が逆流して薬液タンクに流れ込むといった弊害を防止できる。従って、例えば温室内でタイマにより周期的に噴霧するにあたり、圧送ポンプの駆動・停止を繰り返すような場合に好適である。
【００２３】
他方、圧送ポンプ４を一旦止めて導圧路１３の圧力がなくなったことを確認したのちコック２３を閉じるようにすると、減圧ストップ弁１７Ａ，１７Ｂが吸液路９，１０を閉止するので、普通の散水用として希釈水Ｗだけを散布することができる。
すなわち、この薬液混合装置１では、吸い込んだ薬剤および希釈水は全量吐出するようにしてあり、薬剤タンクや水源などに戻したりしない。従って、薬剤は原液のままで保持され、希釈水の水源が汚染されたりすることもない。
【００２４】
上述したように、この実施形態の薬液混合装置１によれば、噴霧直前に、薬液Ａまたは薬液Ｂを希釈・混合することができる。因みに、薬液Ａ（酸性水溶液）と薬液Ｂ（アルカリ性水溶液）とは混合したのちに放置すると薬効が著しく低下することがあるが、この薬液混合装置１であれば、かかる薬効の低下を憂慮することなく用いることができる。
また、構造が簡素なオリフィスによって薬液と希釈水の混合比率を設定することができ、そのうえ開口径の異なるオリフィスに適宜取り替えるといった簡単な操作だけで、所望の混合比率の希釈液を得ることができる。
また、圧送ポンプ４の停止時、ホース破損時、コック２３による導圧路１３閉止時などには、減圧ストップ弁１７Ａ，１７Ｂが吸液路９，１０をそれぞれ遮断し、圧送ポンプ４を駆動したまま噴霧中止する時には減圧弁１５Ａ，１５Ｂが吸液路９，１０をそれぞれ遮断するので、薬液タンク２，３に対し他方の薬液や希釈水Ｗが流入することを阻止できるのである。
【００２５】
〔実施形態２．〕
尚、上記では薬液タンクとして、軽トラックの荷台などに載置可能な薬液タンクＡ，Ｂを例示したが、これらに限らず、図６に示す薬液タンク２ａ（３ａ）を用いることもできる。
この薬液タンク２ａは、例えばポリエチレン製であって、薬液Ａを収容した状態で希釈水Ｗに浮上可能な中空容器に成型されており、希釈水Ｗの水源に浮かべて用いられるようになっている。薬液Ｂを収容する薬液タンク３ａも同様に構成できる。
かかる薬液タンク２ａ，３ａを用いた場合は、使用中に希釈水Ｗと薬液Ａまたは薬液Ｂとの液位に開きを生じることがないので、混合比率ＢＲを一定に保持することができる。
【００２６】
〔実施形態３．〕
一方、図７および図８に、本発明を最も簡単に構成した実施形態を示す。
各図において、薬液混合装置１Ａは、１種類の薬液Ｃを貯留した薬液タンク２と、水タンク３０に貯留された希釈水Ｗと前記の薬液Ｃを汲み上げる圧送ポンプ４と、圧送ポンプ４の吐出口６と噴霧ノズル７とを遮断または連通するコック８と、薬液タンク２と圧送ポンプ４の吸込口５とを連通する吸液路９と、圧送ポンプ４の吸込口５と水タンク３０内とを連通する吸水路１１と、圧送ポンプ４の吐出口６と吸込口５とを連通する還流路１２と、圧送ポンプ４の駆動状態でコック８を閉じたときに開弁して還流路１２を連通しコック８を開いたときには閉弁して還流路１２を遮断する逃がし弁１４と、薬液Ｃおよび希釈水Ｗの還流量を調整するための流量調整弁１９と、図３に示した一体型弁１６の一部分である減圧弁１５Ａと、図４に示した一体型弁１８の一部分である減圧ストップ弁１７Ａとを備えている。また、吸水路１１内に第１オリフィス２０が設けられ、吸液路９内には第２オリフィス２１が設けられている。
尚、３１は圧送ポンプ４の吐出口６に設けられたエア抜き用弁、３２は吸水路１１の水タンク３０側端部に設けられたストレーナ、３３は吸液路９の薬液タンク２側端部に設けられた小型クリーナである。
従って、この実施形態の薬液混合装置１Ａでは、例えば薬液Ｃを単に希釈水Ｗで希釈するような簡単な構成となっている。すなわち、薬液Ｃと希釈水Ｗの所期の混合比率に応じて、第１オリフィス２０の開口径と第２オリフィス２１の開口径とがそれぞれ設定されており、薬液Ｃと希釈水Ｗとを所期の比率で混合することができる。
【００２７】
〔実施形態４．〕
他方、図９に示すように、例えば薬液Ａ，Ｂを１次の希釈水Ｗで予め薄めておき、更に大量の希釈水Ｗで希釈するような場合にも適用できる。
この場合、薬液混合装置１ａは、先述した薬液混合装置１の構成と比べて、薬液Ａを１次希釈する希釈水Ｗ用の吸水路１１Ａを連通・遮断する減圧ストップ弁２７Ａと、薬液Ｂを１次希釈する希釈水Ｗ用の吸水路１１Ｂを連通・遮断する減圧ストップ弁２７Ｂとが付設されたことと、減圧ストップ弁１７Ａ，２７Ａまたは減圧ストップ弁１７Ｂ，２７Ｂに対応して減圧弁１５Ａ，１５Ｂからなる一体型弁１６が１基付設されたことと、減圧ストップ弁１７Ａ出側の吸液路９に設けられた開口径Ｄ4 のオリフィス２８と、減圧ストップ弁２７Ａ出側の吸水路１１Ａに設けられた開口径Ｄ5 のオリフィス２９と、減圧ストップ弁１７Ｂ出側の吸液路１０に設けられた開口径Ｄ6 のオリフィス３０と、減圧ストップ弁２７Ｂ出側の吸水路１１Ｂに設けられた開口径Ｄ7 のオリフィス３１とを備えていることである。
【００２８】
かかる構成の薬液混合装置１ａでは、薬液Ａ，Ｂが粘性の高いものであったり、高濃度のままで混合すると不具合を生じるおそれがある場合に、これらの混合に先んじてそれぞれを予備希釈しておくことができるので、混合比率がばらつきにくく、原液混合による不具合を防止することができる。
【００２９】
無論、上記の薬液混合装置１Ａ，１ａにおいても、薬液Ａ，Ｂ，あるいはＣを収容した状態で希釈水Ｗに浮上可能な薬液タンク２ａ，３ａを用いることができる。
また、上記した各実施の形態では、２種類の薬液Ａ，Ｂを希釈・混合する例や１種類の薬液Ｃを希釈する例を示したが、本発明は３種以上の薬液を希釈・混合するように構成できるのはいうまでもない。
【００３０】
【発明の効果】
以上述べたように、本発明に係る薬液混合装置によれば、構造が簡素な第１オリフィスおよび第２オリフィスを用いてあるので、小型かつ簡素な構成ですむ。加えて、第１オリフィスの開口径と第２オリフィスの開口径とを薬液と希釈水の所期の混合比率に応じてそれぞれ設定することにより、薬液と希釈水とを所期の比率で混合できる。
【００３１】
また、圧送ポンプ停止時やホース破損時などのように圧送ポンプの吐出口圧力が第１所定圧力よりも低くなると、吸液路開閉弁の減圧ストップ弁が吸液路を遮断するので、薬液タンクに対し希釈水や希釈後の混合液が混入したり、あるいは薬液が希釈水の水源に流入して汚染したりすることを防止できる。
【００３２】
更に、還流路内の圧力が第２所定圧力を超えたときに閉弁する吸液路開閉弁の減圧弁を吸液路に介装してあるので、圧送ポンプを駆動したままコックを閉めて噴霧中止するような場合には減圧弁が吸液路を遮断する。従って、かかる場合にも、薬液タンクに対し希釈水や希釈後の混合液が混入したり、あるいは薬液が希釈水の水源に流入して汚染したりすることを防止できる。
【００３３】
そして、薬液タンクとして希釈水の水源に浮上可能な中空容器を用いた場合は、使用中に希釈水と薬液の液位の差が使用中にほとんど変わらないので、一定の混合比率を保持した混合液を得ることができるのである。
【図面の簡単な説明】
【図１】本発明の一実施形態に係る薬液混合装置を示す配管系統図である。
【図２】この薬液混合装置に用いられる逃がし弁を示す断面図である。
【図３】この薬液混合装置に用いられる減圧弁を示す断面図である。
【図４】この薬液混合装置に用いられる減圧ストップ弁を示す断面図である。
【図５】この薬液混合装置に用いられる流量調整弁を示す断面図である。
【図６】この薬液混合装置に用いられる薬液タンクの別例を示す断面図である。
【図７】本発明の別の実施形態に係る薬液混合装置を示す配管系統図である。
【図８】図７におけるＡ−Ａ線断面図である。
【図９】本発明の更に別の実施形態に係る薬液混合装置を示す配管系統図である。
【符号の説明】
１，１Ａ，１ａ    薬液混合装置
２，２ａ，３，３ａ    薬液タンク
４      圧送ポンプ
５      吸込口
６      吐出口
８      コック
９，１０    吸液路
１１    吸水路
１２    還流路
１４    逃がし弁
１５Ａ，１５Ｂ    減圧弁
１７Ａ，１７Ｂ    減圧ストップ弁
２０    第１オリフィス
２１，２２    第２オリフィス
３０    水タンク
Ａ，Ｂ，Ｃ    薬液
Ｄ1 ，Ｄ2 ，Ｄ3     開口径
Ｗ      希釈水
【図１】
0003890119.tif 000002
【図２】
0003890119.tif 000003
【図３】
0003890119.tif 000004
【図４】
0003890119.tif 000005
【図５】
0003890119.tif 000006
【図６】
0003890119.tif 000007
【図７】
0003890119.tif 000008
【図８】
0003890119.tif 000009
【図９】
0003890119.tif 000010